(57)【要約】      （修正有）【課題】加熱されたときでも障子のずり下がりを防止することが可能な建具を提供する。【解決手段】構造体の内外の境界をなす壁面から張り出して設けられる枠体と、壁面から張り出した部位の上方でスライド開閉可能な障子と、を有する建具であって、障子の戸尻部４８に設けられた第１部材２１と、障子より構造体の内側に位置し、障子を閉じた状態にて障子の戸尻部４８と対向する対向部に設けられた第２部材２０と、を有し、障子を閉じた状態にて、第１部材２１は第２部材２０の上方に配置され、枠体が加熱されて枠体が軟化して変形したときに、第２部材２０に第１部材２１が係合して、障子が第２部材２０に保持される。【選択図】図８
2015048598.tif 000002
【特許請求の範囲】
【請求項１】
構造体の内外の境界をなす壁面から張り出して設けられる枠体と、前記壁面から張り出した部位の上方でスライド開閉可能な障子と、
を有する建具であって、
前記障子の戸尻部に設けられた第１部材と、
前記障子より前記構造体の内側に位置し、前記障子を閉じた状態にて前記障子の前記戸尻部と対向する対向部に設けられた第２部材と、を有し、
前記障子を閉じた状態にて、前記第１部材は前記第２部材の上方に配置され、前記枠体が加熱されて前記枠体が軟化して変形したときに、前記第２部材に前記第１部材が係合して、前記障子が前記第２部材に保持されることを特徴とする建具。
【請求項２】
請求項１に記載の建具であって、
前記第２部材は、係合された前記第１部材のスライド開閉方向の移動を規制する規制部を有していることを特徴とする建具。
【請求項３】
請求項１または請求項２に記載の建具であって、
前記戸尻部及び前記対向部には、互いに対向する方向に向かってそれぞれ突出された対向突出片の先端が、前記スライド開閉方向において互いに反対方向に延出された反対方向延出片を各々備え、
前記障子を閉じた際に、前記対向部に設けられた前記反対向方向延出片が、前記戸尻部に設けられた前記反対方向延出片に対し、前記対向部と反対側に位置して互いの前記反対方向延出片が見込み方向において重なるように配置された煙返しを備え、
前記障子が加熱されたときに、前記第１部材は、各々の前記反対方向延出片が見込み方向において重なっている状態で前記第２部材と係合することを特徴とする建具。
【請求項４】
請求項１乃至請求項３のいずれかに記載の建具であって、
前記第１部材は、前記障子の上下方向における中心よりも下端側に設けられていることを特徴とする建具。
【請求項５】
請求項１乃至請求項４のいずれかに記載の建具であって、
前記障子は、面材と、前記面材の下端縁部を保持する下框と、を有し、
前記第１部材は、前記下框と前記スライド開閉方向に並ぶ位置に配置されていることを特徴とする建具。
【発明の詳細な説明】
【技術分野】
【０００１】
本発明は、壁面から張り出して設けられた枠体に支持されて見付け方向にスライド可能な障子を保持する建具に関する。
【背景技術】
【０００２】
壁面から張り出して設けられた枠体に支持されて見付け方向にスライド可能な障子を保持する建具としては、例えば、サッシ枠が躯体の開口に取り付けられており、外障子及びサッシ枠の外障子を保持する障子保持部が、躯体の室外側見付け面よりも室外側に配置されたサッシが知られている(例えば、特許文献１参照)。
【先行技術文献】
【特許文献】
【０００３】
【特許文献１】特開２００３−２５３９６２号公報
【発明の概要】
【発明が解決しようとする課題】
【０００４】
上記のようなサッシのサッシ枠は、アルミニウム合金や樹脂などにて形成されており、火災などにより、壁面の外側となる室外側から火炎に晒されサッシ枠が加熱されて軟化すると、下枠が下方に垂れる場合がある。下枠が下方に垂れると、下枠上に支持されている障子も下方に移動し、垂れ量が大きい場合には、障子の上框が上枠のレールから外れてずり下がるおそれがある。このため、下枠の外障子が位置する部位に鉄製の補強材を設ける、或いは、下枠の、召合せ部の下方に位置する部位に金属製のブロックを設けて、障子のずり下がりを防止しているものがあるが、部材数が増えて組立及び施工が煩雑になると共にコストが高くなるという課題がある。
【０００５】
本発明は、かかる課題に鑑みてなされたものであり、その目的とするところは、加熱されても障子のずり下がりを防止することが可能な建具を提供することにある。
【課題を解決するための手段】
【０００６】
かかる目的を達成するために本発明の建具は、構造体の内外の境界をなす壁面から張り出して設けられる枠体と、前記壁面から張り出した部位の上方でスライド開閉可能な障子と、を有する建具であって、前記障子の戸尻部に設けられた第１部材と、前記障子より前記構造体の内側に位置し、前記障子を閉じた状態にて前記障子の前記戸尻部と対向する対向部に設けられた第２部材と、を有し、前記障子を閉じた状態にて、前記第１部材は前記第２部材の上方に配置され、前記枠体が加熱されて前記枠体が軟化して変形したときに、前記第２部材に前記第１部材が係合して、前記障子が前記第２部材に保持されることを特徴とする建具である。
【０００７】
このような建具によれば、障子の戸尻部に設けられた第１部材は、障子を閉じた状態にて第２部材の上方に配置されるので、構造体の壁面から張り出し、障子を支持している枠体が軟化して垂れるように変形すると、障子が下方に移動することに伴って第２部材と係合する。このとき第１部材が係合する第２部材は、障子より構造体において壁面より内側に位置しているので、障子が支持されている枠体の部位より安定している。このため、たとえ、枠体の張り出している部位が垂れるように変形したとしても、障子を対向部側に保持しておくことが可能である。
【０００８】
かかる建具であって、前記第２部材は、係合された前記第１部材のスライド開閉方向の移動を規制する規制部を有していることが望ましい。
【０００９】
枠体が加熱されて変形するときには、障子も加熱されて膨張することが考えられる。このとき、障子の膨張により第１部材と第２部材とが自由に相対移動可能であると、加熱による相対移動により、第１部材と第２部材との係合が外れるおそれがある。このため、上記建具のように、第２部材が、係合された第１部材のスライド開閉方向の移動を規制する規制部を有していると、加熱された障子が膨張したとしても、第１部材と第２部材との係合が外れることを防止することが可能である。
【００１０】
かかる建具であって、前記戸尻部及び前記対向部には、互いに対向する方向に向かってそれぞれ突出された対向突出片の先端が、前記スライド開閉方向において互いに反対方向に延出された反対方向延出片を各々備え、前記障子を閉じた際に、前記対向部に設けられた前記反対向方向延出片が、前記戸尻部に設けられた前記反対方向延出片に対し、前記対向部と反対側に位置して互いの前記反対方向延出片が見込み方向において重なるように配置された煙返しを備え、前記障子が加熱されたときに、前記第１部材は、各々の前記反対方向延出片が見込み方向において重なっている状態で前記第２部材と係合することが望ましい。
【００１１】
このような建具によれば、第１部材は、障子が加熱されたときに、煙返しを構成する各々の反対方向延出片が見込み方向において重なっている状態で第２部材と係合する。このため、障子が加熱されて伸長するように変形する場合であっても、煙返しの各々の反対方向延出片が見込み方向において重なっている状態が維持される。このため、障子が加熱されたとしても、障子の戸尻側の部位に隙間が生じることをより確実に防止することが可能である。
【００１２】
かかる建具であって、前記第１部材は、前記障子の上下方向における中心よりも下端側に設けられていることが望ましい。
【００１３】
加熱されて障子が膨張する際には、規制されていない方向に伸長する。このため、枠体に支持されている障子の戸尻框は、加熱された際に上方に伸長し、戸尻框に設けられた第１部材が上方に移動することにより第１部材の第２部材との距離が広がってしまう。このとき、戸尻框が伸長して第１部材が移動する移動量は、戸尻框は下方（下枠側）から戸尻框の高さ方向の中間に向かうにつれて大きくなるため、第１部材が上端側に配置されていると、加熱された際に第２部材との間隔がより大きく開いてしまい、下枠が軟化して垂れたときに第１部材と第２部材とが係合しないおそれがある。このため、上記のように第１部材を戸尻框の、障子の上下方向における中心よりも下端側に配置することにより、熱により戸尻框が伸長されたときの第１部材の移動量を小さく抑えることが可能である。このため、たとえ加熱されても、第１部材と第２部材とをより確実に係合させることが可能である。
【００１４】
かかる建具であって、前記障子は、面材と、前記面材の下端縁部を保持する下框と、を有し、前記第１部材は、前記下框と前記スライド開閉方向に並ぶ位置に配置されていることが望ましい。
【００１５】
このような建具によれば、第１部材は下框とスライド開閉方向に並ぶ位置に配置されているので、下框の伸長に伴ってほぼスライド開閉方向に移動する。一方、戸尻框の上下方向における中央側は、反りが生じるおそれがある。このため、第１部材が戸尻框の、下框より上方に設けられていると、戸尻框の反りにより第１部材が第２部材に対して傾き第２部材と係合しにくくなるおそれがある。よって、第１部材を下框とスライド開閉方向に並ぶ位置に配置することにより、第１部材と第２部材とをより確実に係合させることが可能である。
【発明の効果】
【００１６】
本発明によれば、加熱されても障子のずり下がりを防止することが可能な建具を提供することが可能である。
【図面の簡単な説明】
【００１７】
【図１】本実施形態に係る引き違い方式の建具を示す横断面図である。
【図２】本実施形態に係る建具を示す縦横断面図である。
【図３】内障子及び外障子との間に設けられた煙返しを示す横断面図である。
【図４】内障子において保持部材が設けられた召合框を示す斜視図である。
【図５】外障子において係合部材が設けられた召合框を示す斜視図である。
【図６】係合部材と保持部材の関係を示す斜視図である。
【図７】障子保持構造の構成を示す横断面図である。
【図８】図８（ａ）は、通常時における障子保持構造を示す縦断面図であり、図８（ｂ）は、熱により下枠が垂れたときの障子保持構造を示す縦断面図である。
【発明を実施するための形態】
【００１８】
以下、本発明の一実施形態に係る建具について図面を参照して説明する。  
本実施形態では、引き違い方式の建具を例に挙げて説明する。
【００１９】
以下の説明においては、構造体としての建物に取り付けられた建具を室内側から見たときに、上下となる方向を上下方向、左右となる方向を左右方向または見付け方向、室内外方向である奥行き方向を見込み方向として示す。また、建具を構成する各部材については、単体として説明する場合であっても、建具が躯体に取り付けられた状態で上下方向、見付け方向、見込み方向等となる方向にて方向を特定して説明する。
【００２０】
本実施形態の建具は、図１に示すように、枠体２に開閉可能に見付け方向にスライドする内障子３と外障子４とが設けられている引き違い方式の建具(以下、単に建具という)１である。ここで、見付け方向がスライド開閉方向に相当する。
【００２１】
枠体２は、図２に示すように、建物の躯体１５に固定された外壁面Ｓから張り出して取り付けられており、下枠２ｂに設けられ内障子３を案内するレール２ｃは、外壁面Ｓより室内側に配置され、外障子４を案内するレール２ｄは、外壁面Ｓより室外側に配置されており、外障子４は外壁面Ｓから張り出した部位の上方のレール２ｄ上に設けられている。
【００２２】
内障子３及び外障子４は、図１に示すように、いずれも面材としての矩形状の複層ガラス５の周端縁部を保持するように複層ガラス５の四方に設けられた上框（不図示）、下框６、枠体２に当接される戸先部としての戸先框７、及び、召合框をなす戸尻部としての戸尻框８（３８、４８）が框組みされた框体９を有している。
【００２３】
上框（不図示）、下框６、戸先框７、及び、戸尻框８（３８、４８）は、いずれもアルミニウム製の押出成形部材であり、各々長手方向に貫通する中空部７ａ、８ａを有しており、中空部７ａ、８ａ内には、断面がコ字状をなす鉄製の補強部材１０がほぼ全長に渡って設けられている。
【００２４】
また、戸先框７の中空部７ａ内には、内障子３及び外障子４を閉じた状態にて、戸先框７が当接される枠体２の部位と係合して内障子３及び外障子４を係止する戸先錠１１が設けられている。
【００２５】
本建具１においては、内障子３の戸尻框３８と外障子４の戸尻框４８との間、すなわち、内障子３と外障子４との召合せ部の、上下方向における中心よりも下端側、より詳しくは上下方向における下端部近傍に障子保持構造２２を備えている。本実施形態の建具１は、引き違い方式なので、内障子３と外障子４との戸尻框３８、４８同士が対向する召合せ部において、障子より建物の内側に位置し、障子が開口２ａを閉じた状態にて障子の戸尻部と対向する対向部に相当するのは、内障子３の戸尻框３８であり、第１部材を有する障子に相当するのは、外障子４である。
【００２６】
内障子３の戸尻框３８と外障子４の戸尻框４８とが対向する召合せ部に、図３に示すように煙返し１３が設けられている。
【００２７】
煙返し１３は、内障子３の戸尻框３８と外障子４の戸尻框４８に、それぞれ互いに対向する方向に向かってそれぞれ突出された対向突出片３８ａ、４８ａを有し、対向突出片３８ａ、４８ａの先端が、見付け方向において互いに反対方向に延出された反対方向延出片３８ｂ、４８ｂが、ほぼ全長に渡って各々設けられて形成されている。すなわち、内障子３及び外障子４を閉じた状態の内障子３の戸尻框３８には、外障子４の戸尻框４８に向かって突出された内対向突出片３８ａを有し、内対向突出片３８ａの先端から見付け方向において内障子３の戸先側に延出された内反対方向延出片３８ｂが設けられている。内障子３及び外障子４を閉じた状態の外障子４の戸尻框４８には、内障子３の戸尻框３８に向かって突出された外対向突出片４８ａを有し、外対向突出片４８ａの先端から見付け方向において外障子４の戸先側に延出された外反対方向延出片４８ｂが設けられている。
【００２８】
内障子３の戸尻框３８の内対向突出片３８ａ及び内反対方向延出片３８ｂと、外障子４の戸尻框４８の外対向突出片４８ａ及び外反対方向延出片４８ｂとは、内障子３及び外障子４を閉じた際に、外障子４の戸尻框４８に設けられた外反対方向延出片４８ｂが、内障子３の戸尻框３８に設けられた内反対方向延出片３８ｂより見込み方向における内障子３側に位置し、内反対方向延出片３８ｂと外反対方向延出片４８ｂとが見込み方向において重なるように配置されている。
【００２９】
また、外障子４の戸尻框４８には、外反対方向延出片４８ｂより見付け方向における戸尻側に、軟質合成樹脂製のシール材１２が、長手方向のほぼ全長に渡って内障子３の戸尻框３８に接触するように設けられている。
【００３０】
本建具１において障子保持構造２２は、図４、図５に示すように、内障子３の戸尻框３８の内対向突出片３８ａ及び内反対方向延出片３８ｂと、外障子４の戸尻框４８の外対向突出片４８ａ及び外反対方向延出片４８ｂとの一部を切除して設けられている。
【００３１】
本実施形態の障子保持構造２２は、外障子４の戸尻框４８の外対向突出片４８ａ及び外反対方向延出片４８ｂを切除した部位に配置された第１部材としての係合部材２１と、内障子３の戸尻框３８の内対向突出片３８ａ及び内反対方向延出片３８ｂを切除した部位に配置された第２部材としての保持部材２０と、を有している。
【００３２】
係合部材２１は、鉄製の板材にて形成されており、図５、図７に示すように、外障子４が有する戸尻框４８の室内に臨む面４８ｃに当接され、戸尻框４８の中空部８ａ内に配された補強部材１０に固定された固定金具１４に固定される係合固定部２１ａと、係合固定部２１ａの下端から室内側に向かってほぼ水平に延出された係合延出部２１ｂと、係合延出部２１ｂの室内側の縁から垂設された垂設片２１ｃとを有している。この係合部材２１は、戸尻框４８に係合固定部２１ａが固定されると、係合固定部２１ａより下方にて、垂設片２１ｃが戸尻框４８の室内に臨む面４８ｃと、室内側に間隔を隔てた位置に配置される。
【００３３】
保持部材２０は、平坦な鉄製の板材にて形成されており、図４、図７に示すように、内障子３が有する戸尻框３８の室内に臨む面３８ｃに固定される保持固定部２０ａと、保持固定部２０ａの上下方向における下側のほぼ半分が見付け方向に延出された保持延出部２０ｂと、保持延出部２０ｂの、保持固定部２０ａと反対側の見付け方向の戸先側の端部から上方に突出された規制部としての突出部２０ｃとを有している。すなわち、保持部材２０には、保持固定部２０ａの戸先側の縁と、保持延出部２０ｂの上側の縁と、突出部２０ｃとにより下方に窪む切欠部２０ｄが形成されている。切欠部２０ｄの見付け方向の幅は、係合部材２１の見付け方向の幅より僅かに大きく形成されている。
【００３４】
保持部材２０は、保持固定部２０ａが、内障子３の戸尻框３８の、外障子４の戸尻框４８と対向する面における、切除した内対向突出片３８ａより戸尻側の見付け面に当接され、保持延出部２０ｂ及び突出部２０ｃが、切除した内対向突出片３８ａより戸先側に突出するように配置されて、中空部８ａ内に設けられた補強部材１０にビス止めされている。また、保持部材２０が、戸尻框３８に固定された状態で、切欠部２０ｄの戸尻側の縁、すなわち保持固定部２０ａの戸先側の縁が、切除された内対向突出片３８ａとほぼ一致するように配置されている。
【００３５】
内障子３の戸尻框３８は、内対向突出片３８ａより戸先側の見付け面が、内対向突出片３８ａの戸尻側の見付け面よりも、見込み方向において外障子４と反対側に窪んでいる。このため、保持部材２０の保持延出部２０ｂ及び突出部２０ｃが、切除した内対向突出片３８ａ及び内反対方向延出片３８ｂより戸先側に突出するように保持固定部２０ａが固定されると、図４に示すように、保持延出部２０ｂ及び突出部２０ｃが窪み側に配置される。このとき、保持延出部２０ｂ及び突出部２０ｃと、外障子４の戸尻框４８と対向する面における、切除した内対向突出片３８ａより戸先側の部位との間に間隔が隔てられている。
【００３６】
本実施形態の建具１が通常に取り付けられた状態で、内障子３と外障子４とが閉じられ、内障子３の戸尻框３８と外障子４の戸尻框４８とが対向すると、図６、図８（ａ）に示すように、係合部材２１の係合延出部２１ｂが保持部材２０の突出部２０ｃの上端より高い位置にて、切欠部２０ｄの上方に位置している。このとき、垂設片２１ｃは、保持部材２０の室内側に位置し、垂設片２１ｃの下端部の室外側には、切欠部２０ｄが位置している。このため、内障子３と外障子４とが通常に取り付けられた状態では、係合部材２１と保持部材２０とは係合しないので、内障子３及び外障子４は、見付け方向にスライドして開口２ａを開閉自在である。
【００３７】
内障子３及び外障子４が閉じた状態では、保持部材２０の切欠部２０ｄの上方に係合部材２１の係合延出部２１ｂが位置し、煙返し１３は、内障子３の戸尻框３８に位置して内反対方向延出片３８ｂと外反対方向延出片４８ｂとが見込み方向において重なるように配置されている。
【００３８】
この建具１は、火災などにより室外側から加熱されると、外壁面Ｓから張り出して取り付けられた枠体２が軟化され、外壁面Ｓから張り出している下枠２ｂは外障子４の自重により下方に垂れ始める。このとき、下枠２ｂとともに外障子４も下方に移動し始め、外障子４の戸尻框４８に設けられている係合部材２１も下方に移動する。そして、図８（ｂ）に示すように、係合部材２１の係合延出部２１ｂが保持部材２０の切欠部２０ｄに入り込んで係合する。係合部材２１と保持部材２０とが係合することにより、外障子４が内障子３に支持される。このとき、係合部材２１は、係合延出部２１ｂが、保持固定部２０ａ及び突出部２０ｃにより見付け方向の移動が規制される。このため、係合部材２１と保持部材２０とが係合している状態では、内反対方向延出片３８ｂと外反対方向延出片４８ｂとが見込み方向において重なる状態が維持されている。
【００３９】
本実施形態の建具１によれば、外障子４の戸尻框４８に設けられた係合部材２１は、内障子３及び外障子４が前記開口２ａを閉じた状態にて、保持部材２０の上方に配置されるので、外壁面Ｓから張り出している枠体２の、外障子４を支持している下枠２ｂが軟化して垂れるように変形すると、外障子４が下方に移動することに伴って保持部材２０と係合する。このとき係合部材２１が係合する保持部材２０は、外障子４より室内側に位置しているので、下枠２ｂの外障子４が支持されている部位より安定している。このため、たとえ、枠体２の張り出している下枠２ｂが垂れるように変形したとしても、外障子４を内障子３により保持しておくことが可能である。
【００４０】
枠体２が加熱されて変形するときには、外障子４も加熱されて膨張することが考えられる。このとき、係合部材２１と保持部材２０とが外障子４の膨張により自由に相対移動可能であると、加熱による相対移動により、係合部材２１と保持部材２０との係合が外れるおそれがある。このため、本実施形態のように、保持部材２０が、係合された係合部材２１の見付け方向の移動を規制する突出部２０ｃを有していると、加熱された外障子４が膨張したとしても、係合部材２１と保持部材２０との係合が外れることを防止することが可能である。
【００４１】
また、係合部材２１は、外障子４が加熱されたときに、煙返し１３を構成する内障子３の戸尻框３８の内反対方向延出片３８ｂと外障子４の外反対方向延出片４８ｂとが見込み方向において重なっている状態で保持部材２０と係合する。すなわち、たとえ外障子４が加熱されても、係合部材２１と保持部材２０とが係合している場合には、煙返し１３の内反対方向延出片３８ｂと外反対方向延出片４８ｂが見込み方向において重なっている状態が維持される。このため、外障子４が加熱されたとしても、内障子３及び外障子４の戸尻框３８、４８間に隙間がより生じることをより確実に防止することが可能である。
【００４２】
加熱されて外障子４が膨張する際には、外障子４の各部位は規制されていない方向に伸長する。このため、枠体２に支持されている外障子４の戸尻框４８は、加熱された際に上方にも伸長し、戸尻框４８に設けられた係合部材２１が上方に移動することにより係合部材２１の保持部材２０との距離が広がってしまう。このとき、戸尻框４８が伸長して係合部材２１が移動する移動量は、下枠２ｂから戸先框の高さ方向の中間に向かうにつれて大きくなるため、係合部材２１が上端側に配置されていると、加熱された際に保持部材２０との間隔がより大きく開いてしまい、下枠２ｂが軟化して垂れたときに係合部材２１と保持部材２０とが係合しないおそれがある。このため、本実施形態のように係合部材２１を戸尻框４８の上下方向における中心よりも下端側に配置することにより、熱により戸尻框４８が伸長されたときの係合部材２１の移動量を小さく抑えることが可能である。このため、たとえ加熱されたとしても、係合部材２１と保持部材２０とをより確実に係合させることが可能である。
【００４３】
特に本実施形態の係合部材２１は、下框６と見付け方向に並ぶ位置に配置されているので、下框６の伸長に伴ってほぼ見付け方向に移動する。一方、戸尻框４８の上下方向における中央側は、反りが生じるおそれがある。このため、係合部材２１が戸尻框４８の、下框６より上方に設けられていると、戸尻框４８の反りにより係合部材２１が保持部材２０に対して傾き保持部材２０と係合しにくくなるおそれがある。よって、係合部材２１を下框６と見付け方向に並ぶ位置に配置することにより、係合部材２１と保持部材２０とをより確実に係合させることが可能である。
【００４４】
上記実施形態においては、係合部材２１と保持部材２０とでなる障子保持構造２２について説明したが、係合部材２１と保持部材２０の形状は上述した形状に限るものではなく、外障子４側に設けられた係合部材が下方に移動して、外障子より室内側にて支持されている部材に設けられた保持部材に保持される構成であれば構わない。
【００４５】
上記実施形態においては、引き違い方式の建具を例に挙げて説明したが、これに限らず、複数枚の引き戸障子が設けられている建具であっても構わない。また、引き戸をなす障子の戸尻框と、この戸尻框と対向する、例えば、ＦＩＸ窓を構成する縦骨や壁面との間に障子保持構造２２が設けられていてもよい。また、障子３、４のスライド方向は、見付け方向に限らず、上下方向であっても構わない。
【００４６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、２  枠体、２ａ  開口、３  障子、３  内障子、４  外障子、
５  複層ガラス、６  下框、８  戸尻框、２０  保持部材、２０ｃ  突出部、
２１  係合部材、３８  内障子の戸尻框、３８ａ  内対向突出片、
３８ｂ  内反対方向延出片、４８  外障子の戸尻框、４８ａ  外対向突出片、
４８ｂ  外反対方向延出片、Ｓ  外壁面
【図１】
2015048598.tif 000003
【図２】
2015048598.tif 000004
【図３】
2015048598.tif 000005
【図４】
2015048598.tif 000006
【図５】
2015048598.tif 000007
【図６】
2015048598.tif 000008
【図７】
2015048598.tif 000009
【図８】
2015048598.tif 000010